(57)【要約】 【課題】  案内用筒体に挿通させるクランプシャフトの前後進運動が極めて安定して行われるようにしたトグルクランプの提供を図ったものである。【解決手段】  器体Ａに対して水平に取り付けた案内用筒体１を介して、ストロークシャフト２を前後進自在に支持するように構成したトグルクランプにおいて、当該案内用筒体１内を挿通するストロークシャフト２全体を上方に押し上げるような力を付与するためのスプリング５を、器体Ａ内に設ける。【選択図】  図１
2015013344.tif 000002
【特許請求の範囲】
【請求項１】
器体(Ａ)に対して水平に取り付けた案内用筒体(１)を介して、ストロークシャフト(２)を前後進自在に支持するように構成したトグルクランプにおいて、当該案内用筒体(１)内を挿通するストロークシャフト(２)全体を上方に押し上げるような力を付与するためのスプリング(５)を、器体(Ａ)内に設けたことを特徴とするトグルクランプ。
【請求項２】
対向する吊り下げ片部(4a,4a)と、当該吊り下げ片部(4a,4a)の下端に連設させた水平基板部(4b) とから成り、当該水平基板部(4b)の上面に、案内用筒体(１)内を挿通するストロークシャフト(２)全体を上方に押し上げるような力を付与するためのスプリング(５)を取付けて成るブリッジ金具(４)を、器体((Ａ)に対して引掛けて取付けるようにした請求項１に記載のトグルクランプ。
【発明の詳細な説明】
【技術分野】
【０００１】
本発明は、主として所要部材に対する仮止め的固定作業を行うためのトグルクランプに関する。
【背景技術】
【０００２】
クランプとは部材の固定を図るための金具であり、単純な螺子締めに依存するもの等、各種のクランプがその業界毎に存在する。
【０００３】
ところで、トグル機構とは二つのリンクと一つのスライダーから構成されるリンク機構の一種である。  一般的なリンク機構の目的は多くの場合、機械の運動を一定のパターンに束縛するためのものであり、伝達要素として力を伝えることができる。  そして、トグル機構は、人力程度の入力でも非常に大きな出力が得られるため、手動式の締付工具などに利用されている。
【０００４】
結局、トグルクランプとは、上記したトグル機構を組み込んだクランプであり（例えば特許文献１参照。）、その作用の強力性及び確実性から、自動車、造船、航空機をはじめ、重電機器、農業機械、繊維等各種の業界において、製造、加工、組立の欠くことのできない器具として利用されている。
【０００５】
ところで、上述したトグルクランプとしては、下方に抑える方式、前方に押し込む方式、手前に引っ張る方式等各種のものが存在する。  そして、その殆どは、クランプシャフトを水平に保った状態で前進または後退させることによって、クランプ機能を発揮させるものである。
【先行技術文献】
【特許文献】
【０００６】
【特許文献１】特開２００１−２６９８３１号公報
【発明の概要】
【発明が解決しようとする課題】
【０００７】
従来のトグルクランプは、上記したクランプシャフトの水平方向の前後進運動の安定性を、器体に設けられている案内用筒体に単に挿通させるだけで、当該水平状態での前後進運動の安定化を図るように構成したものであった。  そのため、トルク機構により斜め方向から伝わる力は、当該案内用筒体を介して水平方向に変換して案内することとなる。  そのため、クランプシャフトの水平運動にガタツキが生じてしまうことがあり、このようなガタツキが生じた場合、クランプ作動の安定性が損なわれたり、齟齬をきたしたりするような問題が生じることとなる。  本発明は、このような従来の問題を解決した新規のトグルクランプの提供を図ったものである。
【課題を解決するための手段】
【０００８】
本発明は請求項１に記載のように、器体Ａに対して水平に取り付けた案内用筒体１を介して、ストロークシャフト２を前後進自在に支持するように構成したトグルクランプにおいて、当該案内用筒体１内を挿通するストロークシャフト２全体を上方に押し上げるような力を付与するためのスプリング５を、器体Ａ内に設けたことを特徴とするトグルクランプに係る。
【０００９】
本発明は請求項２に記載のように、対向する吊り下げ片部4a,4aと、当該吊り下げ片部4a,4aの下端に連設させた水平基板部4b とから成り、当該水平基板部4bの上面に、案内用筒体１内を挿通するストロークシャフト２全体を上方に押し上げるような力を付与するためのスプリング５を取付けて成るブリッジ金具４を、器体Ａに対して引掛けて取付けるようにした請求項１に記載のトグルクランプを実施の態様とする。
【発明の効果】
【００１０】
本発明に係るトグルクランプは、請求項１に記載のように、器体Ａに対して水平に取り付けた案内用筒体１を介して、ストロークシャフト２を前後進自在に支持するように構成したトグルクランプにおいて、当該案内用筒体１内を挿通するストロークシャフト２全体を上方に押し上げるような力を付与するためのスプリング５を、器体Ａ内に設けたから、当該ストロークシャフト２はスプリング５を介して押し上げ状態に保たれているため、当該ストロークシャフト２と案内用筒体１の内壁との接触性が安定化し、ストロークシャフト２の前後進作動に多少のガタツキがあっても、当該スプリング５の反発力に基づく押付け作用に基づき、その動きが顕著な安定性、スムーズ性を保って行われることとなる。  従って、クランプとしての正確性、確実性の確保が図られる。
【００１１】
本発明に係るトグルクランプは、請求項２に記載のように、対向する吊り下げ片部4a,4aと、当該吊り下げ片部4a,4aの下端に連設させた水平基板部4b とから成り、当該水平基板部4bの上面に、案内用筒体１内を挿通するストロークシャフト２全体を上方に押し上げるような力を付与するためのスプリング５を取付けて成るブリッジ金具４を、器体Ａに対して引掛けて取付けるようにすることによって、本発明は、既存クランプに対する実施が簡単に果たされる。  従って、その実施に要する経済的負担性が軽減化されると同時に、手持ちのクランプを無駄にしてしまうようなことがない。
【図面の簡単な説明】
【００１２】
【図１】本発明の要部を表した説明用縦断面図である。
【図２】本発明の要部を表した説明用斜視図である。
【図３】本発明に係るトグルクランプの一例を表した側面図である。
【発明を実施するための形態】
【００１３】
図３は本発明の実施品たるトグルクランプの一例を表したものである。  同図において、Ａはトグルクランプ器体、１は当該器体Ａの先端に水平状態で固設した案内用筒体、２は当該筒体１に対して摺動自在に挿通したストロークシャフトであって、レバー３の操作に基づき所定のトグル機構（リンク機構）Ｐを介してその進退運動が行われるように構成してある。  なお、このような構成は公知技術に属する。
【００１４】
図３に示すトグルクランプは本発明の実施対象の一例とするものである。  すなわち、本発明の実施対象とするトグルクランプは、器体Ａに対して水平状に取り付けた案内用筒体１を介して、ストロークシャフト２を前後進自在に支持するように構成したトグルクランプを実施対象とする。
【００１５】
図１及び図２は本発明の要部を表したものである。  同図において、ａ．ａは器体Ａを形成する基枠であって、左右対称的に対向させると共に、その内部には所定のトグル機構Ｐが組み込まれるようになっている。
【００１６】
４は左右対称的に対向する上記基枠ａ，ａに対して架設したブリッジ金具であって、対向する吊り下げ片部4a,4aと、当該吊り下げ片部4a,4aの下端に連設させた水平基板部4b とから成るものである。  そして、当該水平基板部4bの上面には、案内用筒体１内を挿通するストロークシャフト２全体を上方に押し上げるような力を付与するためのスプリング５が取り付けられている。  尚、当該ブリッジ金具４は既存のトグルクランプに対してアダプター的に取り付け可能とする形態、すなわち、基枠ａ，ａに対して単に引掛けるだけでその取付けが成されるように構成してある。
【００１７】
図３に示す状態において、レバー３の操作に基づき、ストロークシャフト２はトグル機構Ｐを介してその前後進運動が行われてトグルクランプとして機能することとなる。  この時、ストロークシャフト２はスプリング５を介して押し上げ状態に保たれているため、当該ストロークシャフト２と案内用筒体１の内壁との接触性が安定化し、ストロークシャフト２の前後進作動に多少ガタツキがあっても、当該スプリング５の反発力に基づく押付け作用が生じ、その動きが顕著な安定性、スムーズ性を保って行われることとなる。
【符号の説明】
【００１８】
Ａ  トグルクランプ器体
１  案内用筒体
２  ストロークシャフト
３  レバー
ａ  基枠
Ｐ  トグル機構
４  ブリッジ金具
4a  吊り下げ片部
4b  水平基板部
５  スプリング
【図１】
2015013344.tif 000003
【図２】
2015013344.tif 000004
【図３】
2015013344.tif 000005